(57)【要約】【課題】他の部材への取付作業性が良好で、かつ取付後も振動による異音等が発生せず、着脱が容易な電装品等の取付構造を提供することを目的とする。【解決手段】他の部材に電装品等を搭載したケースを挿し込む引掛け部と挿入する挿入部とを設け、爪部で固定することで電装品等を他の部材に固定し、ガタによる異音を防止するため抑え形状である止め部と突起部を設け、また、挿入部に設けた押部を押圧することで、他の部材からケースを容易に取り外すことができ、電装品等を搭載したケースの着脱が可能となる。【選択図】図１
2013119362.tif 000002
【特許請求の範囲】
【請求項１】
板材等の他部材に連結して固定する電装品等の取付構造において、電装品等を搭載するケースと、前記ケースに他の部材へ挿入する突起状の挿入部と、前記挿入部の両側に位置し前記ケースから挿入部方向に伸びる止め部と前記ケースにL字形に形成され他の部材に挿し込まれる引掛部と前記引掛部の両側に他の部材にケースを固定するために突出した突起部を有し、他の部材を前記挿入部と止め部、前記引掛部と突起部で挟持することを特徴とする電装品等の取付構造。
【請求項２】
前記挿入部には、突出した押部と爪部が形成され、押部を押圧して爪部を撓ませることで爪部を他の部材から引き抜くことができ、前記ケースを他の部材に着脱可能に固定したことを特徴とする電装品等の取付構造。
【発明の詳細な説明】
【技術分野】
【０００１】
本発明は、電装品等の取付構造に係り、特に他の部材に連結して固定する電装品等の取付構造に関する。
【背景技術】
【０００２】
電装品等の取付構造に関し、例えば特許文献1に記載のものがある。特許文献1に係る電装部品等の取付構造は、引掛部とともに開口部を有する電装品等を固定したブラケットと、被引掛部とともに開口部を形成した車両内装としてのインストルメントパネルとを持ち、前記ブラケットに設けられた引掛部をインストルメントパネルの開口部に引掛けさせることにより、ブラケットがインストルメントパネルの被引掛部に取付けられ、ブラケットに設けた開口部をスクリュで締め付けることで、電装品等を固定したブラケットをインストルパネルの開口部に固定するものである。
【０００３】
【特許文献１】特開20011-11670号
【発明の開示】
【発明が解決しようとする課題】
【０００４】
しかしながら、このように電装品等を固定したブラケットをインストルメントパネルの開口部にスクリュで締め付ける取付構造では、ブラケットをインストルメントパネルに取付けるためにはスクリュが必要となり、部品点数が増大する。また、スクリュを締め付けて部品を固定する場合にスクリュの締め付けが1箇所だけの場合に、部品の片端の1箇所のみをスクリュで締め付けると取付相手側部品に堅固に固定できないため、ガタツキ等が生じる恐れがあり、スクリュの締め付け箇所を複数にした場合には、スクリュの個数が増えてコストが高くなるとともに、締め付け箇所が複数あるために取付工数が増加するという不都合があった。さらに、電装品等を固定したブラケットがインストルメントパネルの奥の方に取り付けられる場合や通常、インストルメントパネルの内部には多数の他の部品が取付けられており作業スペースに制約があるという事情から、電装品等を固定したブラケットに設けられた開口部にスクリュを嵌め込む作業やドライバーを回転させる作業が難しいという問題もある。
【０００５】
そこで本発明の目的は、部品点数が増大することなく、しかもドライバーなどの工具を使用することなく電装品等を固定したブラケットをインストルメントパネルに対して容易に着脱することができ、ブラケットに設けられた抑え形状によりガタによる異音を防止した電装品等の取付構造を提供することにある。
【課題を解決するための手段】
【０００６】
上記課題を解決するために、請求項１の電装品等の取付構造において、板材等の他部材に連結して固定する電装品等の取付構造において、電装品等を搭載するケースと、ケースに他の部材へ挿入する突起状の挿入部と、挿入部の両側に位置しケースから挿入部方向に伸びる止め部とケースにL字形に形成され他の部材に挿し込まれる引掛部と引掛部の両側に他の部材にケースを固定するために突出した突起部を有し、他の部材を挿入部と止め部、引掛部と突起部で挟持することを特徴とする。
【０００７】
また、請求項2の電装品等の取付構造において、挿入部には、突出した押部と爪部が形成され、押部を押圧して爪部を撓ませることで爪部を他の部材から引き抜くことができ、ケースを他の部材に着脱可能に固定することを特徴とする。
【発明の効果】
【０００８】
本発明の電装品等の取付構造によれば、板材等の他部材に連結して固定する電装品等の取付構造において、電装品等を搭載するケースと、前記ケースに他の部材へ挿入する突起状の挿入部と、前記挿入部の両側に位置し前記ケースから挿入部方向に伸びる止め部と前記ケースにL字形に形成され他の部材に挿し込まれる引掛部と前記引掛部の両側に他の部材にケースを固定するために突出した突起部を有し、他の部材を前記挿入部と止め部、前記引掛部と突起部で挟持することができるため、部品点数が増大することなく、しかもドライバーなどの工具を使用することなく電装品等が搭載されたユニットを他の部材に対して容易に着脱することができ、上記ユニットに設けられた抑え形状によりガタによる異音を防止した電装品等の取付構造を提供することができる。
【発明を実施するための形態】
【０００９】
本発明の実施形態を図1および図2を用いて説明する。電装品等が搭載されたユニット1は、電装品等を収納するケース3と、ケース上部に配設され他の板材(車体側部材)2と板材2の開口部2aへと挿入する挿入部4と、ケース3下部に配設され板材2の開口部2bへ引掛ける引掛け部5とを備えている。
【００１０】
ケース3は、ケース3上部に上述のように板材2の開口部2aに挿入される突起状の挿入部4と、挿入部4の両側に位置しケース3上方に伸び、挿入部4が板材2の開口部2aに挿入された際、板材2の表面へと当接する止め部6と、ケース3下部にL字形に形成され、板材2の開口部2bに挿し込まれる引掛部5と引掛部5の両側に位置し引掛部5が板材2の開口部2bに挿し込まれた際、板材2の表面へと当接し、引掛部5と板材2を挟み込むことにより板材2にケース3を固定するために突出した突起部7aと板材2の裏面へと当接し、突起部7aと板材2を挟み込むことにより板材2にケース3を固定するために突出した突起部7bを備えている。
【００１１】
挿入部4には、図1に示すように上方に他の部材への挟み込み固定用としての爪部8とユニット本体1の板材2からの取り外しに用いる押部9とが設けられている。爪部8は挿入部4が板材2の開口部2aに挿入された際、板材2の裏面と当接し、板材2の表面と当接する止め部6と板材2を挟み込むことによりケース3を固定する。また、爪部8に設けられた押部9を押圧することにより爪部8を撓ませ、容易に挿入部4を板材2の開口部2aから引き抜くことを可能とする。
【００１２】
引掛部5は、図1に示すように挟み込み固定用としての突起部7bが設けられている。ケース3下部にL字型に取付けられた引掛部5が板材2の開口部2bに引掛けられ挿し込まれると、突起部7bが板材2の裏面と当接し、板材2の表面と当接する突起部7aと板材2を挟み込むことによりケース3を固定する。
【００１３】
上述した本構成の電装品等の取付構造においては、まずケース3下部の引掛部5が板材2の裏面に差し入れられ、突起部7bと突起部7aとで板材2を挟み込みケース3を固定する。そして、挿入部4が板材2の開口部2aへ回転させながら挿入され、爪部8が板材2の裏面と止め部6が板材2の表面とに当接し、板材2を挟み込むことでケース3を固定する。これにより、電装品等の取付に関しスクリュ等の取付具・ドライバー等の工具も不要となる。よって、部品点数を増大させることなく、スクリュ等でケースを固定する作業を省き、電装品等をドライバー等の工具の使用が難しい奥まった場所や作業スペースに制約がある場所等にも容易に取付けることが可能となり、作業性を高めることができる。
【００１４】
また、ケース3上部の挿入部4の上方に設けられた爪部8と挿入部4両側に設けられた止め部6とで板材2を挟み込み、そして、ケース3下部の引掛け部5と突起部7aによって板材2を挟み込むことで電装品等が搭載されたユニット1が板材2に堅固に固定されるため、ユニット1が板材2から浮き上がったり、外れたりする不具合やガタツキ等から生じる異音を容易な構造と作業により防止することが可能となる。
【００１５】
さらに、ケース3上部の挿入部4の上方に設けられた押部9に上から押圧して爪部8を撓ませ、挿入部4を板材2の開口部2aから引き抜き、引掛部5を他の部材2上方へスライドさせることによりユニット本体1を他の部材2から取り外すことが可能となる。これにより、ユニット本体1を押部9へのワンタッチで、ドライバー等の工具を使用することなく容易に取り外すことが可能となり、作業性を高めることができる。
【００１６】
なお、本発明は上述した実施の形態例に限定されるものでなく、適宜な変更を行なうことにより他の態様でも実施することができる。例えば、ケースの上下を入替えても対応できる。また、この発明に係る電装品の取付構造は各種の取付構造にも適用可能である。
【図面の簡単な説明】
【００１７】
【図１】図1は電装品等を搭載したユニットの斜視図である。
【図２】図2は電装品等を搭載したユニットの側面図である。
【符号の説明】
【００１８】
1 ユニット
2 他の板材(車体側部材)
3 ケース
4 挿入部
5 引掛部
6 止め部
7 突起部
8 爪部
9 押部
【図１】
2013119362.tif 000003
【図２】
2013119362.tif 000004